(57)【特許請求の範囲】
【請求項１】
前方へ至るに従い径大な錐状の外筒の前端に発射口を、後端に紐導出口をそれぞれ形成し、前記外筒の内部にカートリッジを前記発射口から出し入れ可能に格納してあり、
前記カートリッジは、前記外筒に内嵌する外形を有し、内部に前方開放状の収納凹部を形成するとともに、この収納凹部の底中央付近に底穴を形成したカートリッジケースと、前記収納凹部の中に、該収納凹部内周方向に並ぶよう収納された複数の子クラッカーと、前記収納凹部の前端開口面を塞ぐようカートリッジケースと一体的に結合され、各子クラッカーの前端部を貫通支持した保持穴を有する蓋と、子クラッカー群の中央にはめ込まれて各子クラッカーを前記収納凹部の内周壁に対し押し付ける入子とを備えており、
各子クラッカーは筒体の中に火薬体を収納するとともに、該火薬体に通し付けられた引紐を前記筒体の後端穴からカートリッジケースの底穴へ導出し、更に前記紐導出口から外方へ導出していることを特徴とする大型クラッカー。
【請求項２】
前方へ至るに従い径大な錐状の外筒の前端に発射口を、後端に紐導出口をそれぞれ形成し、この外筒の内部にカートリッジを前記発射口から出し入れ可能に格納してあり、
前記カートリッジは、前記外筒に内嵌するよう逆截頭錐状に形成され、内部に前方開放状の収納凹部を有し、この収納凹部の底中央付近に底穴を有するカートリッジケースと、前記収納凹部の中に、該収納凹部内周方向に並ぶよう収納された複数の子クラッカーと、前記収納凹部の前端開口面を塞ぐようカートリッジケースと一体的に結合され、各子クラッカーの前端部を貫通支持した保持穴を有する蓋と、子クラッカー群の中央にはめ込まれて各子クラッカーを前記収納凹部の内周壁に対し押し付ける入子とを備えており、
前記収納凹部の内底に、複数の位置決めリブを隣接する各子クラッカーの後端部同士間に位置するよう列設しており、
各子クラッカーは前後方向に細長い筒体の中に火薬体を収納するとともに、該火薬体に通し付けられた引紐を前記筒体の後端穴からカートリッジケースの底穴へ導出し、更に前記紐導出口から外方へ導出していることを特徴とする大型クラッカー。
【請求項３】
前記蓋は、前記保持穴を同一円上に列設し、この保持穴群の中央付近に対応する部位に、指掛け穴を設けている請求項２記載の大型クラッカー。
【発明の詳細な説明】
【０００１】
【発明の属する技術分野】
本発明は、クリスマスや結婚式等の祝宴などに用いられ、引紐の引っ張り操作で爆発音をたてる大型クラッカーに関する。
【０００２】
【従来の技術】
この種の大型クラッカーは、前後長さが１ｍ、最大直径が３５cmもある円錐状の外筒の内部に、子クラッカーを複数個、収納する仕様であり、使用時には各子クラッカーの引紐を一斉に引っ張って、各子クラッカー内の火薬体を爆発させて大きい爆発音をたてるようになっている（文献不詳）。子クラッカーとしては、例えば、実公昭６３−１９７５４号公報に開示されているように単独で使用できるものとほぼ同様のものである。
【０００３】
【発明が解決しようとする課題】
しかるに、従来使用されている上記大型クラッカーは、複数個の子クラッカーと外筒とが分離不能又は分離困難に一体的に組み立てられているため、使用済み後には外筒はほとんど傷むことのないまま子クラッカーごとその全体が廃棄されている。このため不経済極まりなかった。
本発明は、このような問題を解消するためになされたもので、複数個の子クラッカーをカートリッジ化して大型の外筒に対し出し入れ可能にすることで、外筒の再使用を可能にする経済的な大型クラッカーを提供することにある。
【０００４】
【課題を解決するための手段】
本発明は、前方へ至るに従い径大な錐状の外筒の前端に発射口を、後端に紐導出口をそれぞれ形成し、この外筒の内部にカートリッジを前記発射口から出し入れ可能に格納する。そのカートリッジは、前記外筒に内嵌する外形を有し、内部に前方開放状の収納凹部を形成するとともに、この収納凹部の底中央付近に底穴を設けたカートリッジケースと、前記収納凹部の中に収納された複数の子クラッカーとを備える。各子クラッカーは、筒体の中に火薬体を収納するとともに、該火薬体に通し付けられた引紐を、前記筒体の後端穴からカートリッジケースの底穴へ導出し、更に前記紐導出口から外方へ導出するものである。
【０００５】
上記カートリッジは、上記カートリッジケースの収納凹部の中に、複数の子クラッカーを該収納凹部内周方向に並ぶよう収納し、収納凹部の前端開口面は蓋で塞ぐとともに、該蓋に各子クラッカーの前端部を貫通支持する保持穴を設け、かつ、子クラッカー群の中央に、各子クラッカーを前記収納凹部の内周壁に対し押し付ける入子をはめ込むという構成を採ることができる。
【０００６】
上記収納凹部の内底には、複数の位置決めリブを隣接する各子クラッカーの後端部同士間に位置するよう列設することができる。
上記蓋は、前記保持穴を同一円上に列設し、この保持穴群の中央付近に対応する部位に、指掛け穴を設けることができる。
【０００７】
【作用】
外筒の紐導出口から導出した引紐を引っ張って各子クラッカー内の火薬体を一斉に爆発させた後は、外筒の発射口からカートリッジ、即ち各子クラッカーをカートリッジケースごと取り出して、新たなカートリッジと交換することで、次回の使用に供することができる。各子クラッカーはカートリッジケース内で爆発させるので、外筒を破損、損傷させるおそれがない。
カートリッジに備える蓋及び入子は、複数の子クラッカーをカートリッジケース内にばらつくことなく確実に収納保持する機能を発揮するため、カートリッジの出し入れ時に不用意に各子クラッカーがカートリッジケース内でがたついたり、抜け出たりすることがなくて取扱い易くなる。
収納凹部の内底に列設する複数の位置決めリブは、各子クラッカーを収納凹部の内周方向に整列状態に収納配備することができる。
蓋に設けた指掛け穴は蓋をつかみ易くするため、その蓋をつかむ操作でもってカートリッジを外筒から容易に出し入れ可能にする。
【０００８】
【発明の実施の形態】
図１は本発明の一実施例を示す大型クラッカーの縦断面図、図２は図１におけるＡ−Ａ線断面図、図３は同クラッカーの外筒にカートリッジを格納する前の状態を示す斜視図、図４は同クラッカーのカートリッジケースの平面図、図５は同クラッカーの蓋の平面図である。
図３において、大型クラッカーは、前後長さＬが１ｍ、最大直径Ｄが３５cm程度の円錐状の厚紙、合成紙あるいはプラスチック製の外筒１と、この外筒１の中に出し入れ可能に格納するカートリッジ２とからなる。外筒１は前方へ至るに従い径大な円錐状に形成されて、前端に発射口３を、後端に紐導出口４をそれぞれ形成している。
【０００９】
図１及び図３において、カートリッジ２はカートリッジケース５の中に複数の子クラッカー６を収納してなる。カートリッジケース５は、軽量で断熱性に優れる発泡スチロール樹脂などで前方開放状の収納凹部７を有する逆截頭円錐状に成形し、収納凹部７の内底７ａの中央付近に底穴８を開口する。
子クラッカー６は前後方向に細長い円筒状の子クラッカー６Ａと円錐状の短い子クラッカー６Ｂとを用意する。いずれの子クラッカー６Ａ，６Ｂも筒体９の前端を蓋１１で開放可能に塞ぐ。筒体９の中には火薬体１２と、火薬体１２に通し付けられた引紐１３とを収納し、必要に応じて、更に紙吹雪や小巻きテープなどの噴出物１４を火薬体１２の前側に位置するよう収納配備する。引紐１３は筒体９の後端穴１５から外部へ導出する。
【００１０】
カートリッジケース５に複数個の子クラッカー６が収納されるようカートリッジ２を組み立てるに際しては、蓋１６及び入子１７が使用される。
図１及び図５に示すように、蓋１６は、厚紙やアルミニウムホイル等金属箔をラミネートした合成紙などでカートリッジケース５の上端の外径とほぼ同径の円板状に形成し、円筒状の子クラッカー６Ａの外径とほぼ同径の保持穴１８を同一円Ｃ１上に等間隔で８個列設するとともに、その同一円Ｃ１の中央付近に、更に円錐状の子クラッカー６Ｂを挿入保持するための保持穴１８と、指掛け穴１９とを２個ずつ、ほぼ等間隔で列設している。この蓋１６の前記円Ｃ１より外周領域には、カートリッジケース５の上端に突設したダボ２０に嵌合する係合穴２１を４個列設している。入子１７は、図１に示すように、カートリッジケース５の成形材料と同じ発泡スチロール樹脂などで逆截頭円錐状に形成している。図４に示すごとくカートリッジケース５の収納凹部７の内底７ａには、複数の位置決めリブ２２を所定間隔で列設する。
【００１１】
これら蓋１６及び入子１７を用いて、例えば８個の円筒状の子クラッカー６Ａと２個の円錐状の子クラッカー６Ｂを、カートリッジケース５に収納する。その際、図１及び図２に示すように、先ず、カートリッジケース５の収納凹部７内に８個の円筒状の子クラッカー６Ａを各々の後端部が各位置決めリブ２２，２２間に位置するように、収納凹部７の内周方向に所定間隔おきに、かつ収納凹部７の内周壁に沿って傾く縦姿勢に並べて置く。これにより、各子クラッカー６Ａは収納凹部７の内周方向に所定間隔で位置決め状態に配置される。このとき、各子クラッカー６Ａの引紐１３を底穴８から外部へ導出させる。
【００１２】
このままでは、子クラッカー６Ａが収納凹部７の中心方向へ倒れ、また前方へ抜け出るため、図１及び図２に示すように、子クラッカー６Ａ群で囲まれる中央空間部に入子１７をはめ込む。すると、各子クラッカー６Ａが収納凹部７の内周壁に対し押し付けられるため、その内周壁の傾斜面に沿って傾く縦姿勢に且つ上方へ抜け止め状に保持される。
【００１３】
次いで、図１に示すように、カートリッジケース５の収納凹部７の開口上面を蓋１６で塞ぐのであるが、その際、蓋１６の中央の２個の保持穴１８にそれぞれ円錐状の子クラッカー６Ｂを引っ掛け状態にはめ込んだうえで、円Ｃ１上の各保持穴１８を収納凹部７内の円筒状の子クラッカー６Ａの各前端部に貫通させるとともに、円錐状の子クラッカー６Ｂの引紐１３を円筒状の子クラッカー６Ａ，６Ａ間に通して底穴８より導出しながら、蓋１６の係合穴２１をカートリッジケース５のダボ２０に位置合わせして嵌合させる。これにより、各子クラッカー６Ａ，６Ｂの各前端部が蓋１６の各保持穴１８から前方へ突出する状態に支持される。
【００１４】
かかる蓋１６の取り付け時には、中央の指掛け穴１９を利用し、これに指先を差し込んで蓋１６をつかむことによって容易に取り付けられる。蓋１６はカートリッジケース５の上端面との重合面間を接着剤で接合してカートリッジケース５から外れないように一体的に結合する。
【００１５】
かくしてカートリッジ２は、指掛け穴１９に指を入れて蓋１６をつかむことにより、外筒１の中へ発射口３から容易にはめ込むことができる。このはめ込みにより、図１に示すごとくカートリッジケース５が外筒１の内部に楔状に嵌合するとともに、全ての引紐１３はこれを一まとめに束ねて紐導出口４から導出し、カートリッジ２全体が外筒１内に少し沈み状態に格納される。
【００１６】
このように組み立てられた大型クラッカーを使用するには、外筒１の紐導出口４から導出する引紐１３を引っ張ることにより、各子クラッカー６内の火薬体１２を一斉に爆発させることができる。このとき、各子クラッカー６に噴出物１４を収納してある場合は、爆発圧でその噴出物１４が一斉に外筒１の発射口３から前方へ放射状に吹き飛ばされて演出効果を一層高める。
【００１７】
使用後は、指掛け穴１９に指を入れて蓋１６をつかみ、カートリッジ２全体を前方へ引っ張ることにより外筒１の発射口３から容易に取り出すことができる。この取り出されたカートリッジ２は廃棄するが、外筒１は廃棄することなく、この中に新規なカートリッジ２を格納しなおして新たな使用に供される。
【００１８】
上記実施例のように子クラッカー６は収納凹部７の内周以外に、その中央にも収納配備することにより、子クラッカー６の総数をできる限り増やすことができて爆発音を大きくすることができるが、子クラッカー６の総数および収納配置は、外筒１の大きさに応じて任意に変更することができる。
【００１９】
各実施例では、外筒１を円錐状に形成するが、五角形や六角形など多角形の角錐状に形成することもできる。勿論、こうした場合は、外筒１の内形に対応して蓋１６やカートリッジケース５も角錐状に形成することは言うまでもない。
【００２０】
【発明の効果】
本発明によれば、複数個の子クラッカーをカートリッジケースに収納したカートリッジを作り、このカートリッジを外筒の中に出し入れ可能に格納してあるので、使用後はカートリッジのみを交換することで外筒の再使用を可能にし、経済的であり、資源の節約にもなる。また各子クラッカーはカートリッジケース内で爆発させるようにしてあるので、外筒の損傷を防止できる。
【００２１】
各子クラッカーはカートリッジケース内に蓋及び入子を介して確実に収納保持できるので、カートリッジの出し入れ時に不用意に各子クラッカーがカートリッジケース内でがたついたり、抜け出たりすることがなくて取扱い易い。
カートリッジケースの収納凹部の内底には位置決めリブを設けてあるので、各子クラッカーは収納凹部内に対しばらつきなく、整列状態に収納配備できる。
蓋に指掛け穴を設けるので、蓋をつかみ易くし、外筒へのカートリッジの交換操作が簡易に行える。
【図面の簡単な説明】
【図１】本発明の一実施例を示す大型クラッカーの縦断面図である。
【図２】図１におけるＡ−Ａ線断面図である。
【図３】同クラッカーの外筒にカートリッジを格納する前の状態を示す斜視図である。
【図４】同クラッカーのカートリッジケースの平面図である。
【図５】同クラッカーの蓋の平面図である。
【符号の説明】
１  外筒
２  カートリッジ
３  発射口
４  紐導出口
５  カートリッジケース
６  子クラッカー
９  筒体
１２  火薬体
１３  引紐
１５  後端穴
１６  蓋
１７  入子
１８  保持穴
１９  指掛け穴
２２  位置決めリブ
【図１】
0003971822.tif 000002
【図２】
0003971822.tif 000003
【図３】
0003971822.tif 000004
【図４】
0003971822.tif 000005
【図５】
0003971822.tif 000006